(57)【要約】【課題】フィードバック情報の伝搬品質を向上させること。【解決手段】第一基地局１１０は、下りデータＤＡＴＡ＿ｄｏｗｎを自局から受信するとともに上りデータＤＡＴＡ＿ｕｐを第二基地局１２０へ送信する上下非対称接続が可能な移動局１３０と通信を行う。第一基地局１１０は、移動局１３０へ下りデータＤＡＴＡ＿ｄｏｗｎを送信するとともに、下りデータＤＡＴＡ＿ｄｏｗｎのフィードバック情報ＦＢ＿ｄｏｗｎを、第二基地局１２０を経由する迂回経路により移動局１３０から受信する。【選択図】図１
2011055194.tif 000002
【特許請求の範囲】
【請求項１】
下りデータを自局から受信するとともに上りデータを他の基地局へ送信する移動局と通信を行う基地局において、
前記移動局へ前記下りデータを送信するデータ送信部と、
前記データ送信部によって送信される下りデータのフィードバック情報を、前記他の基地局を経由して前記移動局から受信する制御情報受信部と、
を備えることを特徴とする基地局。
【請求項２】
前記他の基地局から送信された前記上りデータのフィードバック情報を前記移動局へ転送する転送部を備えることを特徴とする請求項１に記載の基地局。
【請求項３】
前記他の基地局を経由しない経路および前記他の基地局を経由する経路を含む各フィードバック経路のいずれかを選択する経路選択部を備え、
前記制御情報受信部は、前記経路選択部によって選択されたフィードバック経路により前記フィードバック情報を受信することを特徴とする請求項１または２に記載の基地局。
【請求項４】
前記移動局から自局への上り伝搬品質を測定する測定部と、
前記移動局から前記他の基地局への上り伝搬品質を示す品質情報を前記他の基地局から受信する受信部と、を備え、
前記経路選択部は、前記測定部によって測定された伝搬品質と、前記受信部によって受信された品質情報が示す伝搬品質と、に基づいてフィードバック経路を選択することを特徴とする請求項３に記載の基地局。
【請求項５】
前記経路選択部は、前記他の基地局を経由する経路の利用の可否を判断し、前記他の基地局を経由する経路の利用が可能でないと判断した場合は前記他の基地局を経由しない経路を前記フィードバック経路として選択することを特徴とする請求項３または４に記載の基地局。
【請求項６】
前記経路選択部は、前記フィードバック情報の種別に応じて前記フィードバック経路を選択することを特徴とする請求項５に記載の基地局。
【請求項７】
上りデータを自局へ送信するとともに下りデータを他の基地局から受信する移動局と通信を行う基地局において、
前記移動局から前記上りデータを受信するデータ受信部と、
前記データ受信部によって受信される上りデータのフィードバック情報を、前記他の基地局を経由する経路により前記移動局へ送信する制御情報送信部と、
を備えることを特徴とする基地局。
【請求項８】
下りデータを第一基地局から受信するとともに上りデータを前記第一基地局とは異なる第二基地局へ送信する移動局において、
前記下りデータを前記第一基地局から受信するデータ受信部と、
前記上りデータを前記第二基地局へ送信するデータ送信部と、
前記データ受信部によって受信される下りデータのフィードバック情報を、前記第二基地局を経由する経路により前記第一基地局へ送信する制御情報送信部と、
前記データ送信部によって送信される上りデータのフィードバック情報を、前記第一基地局を経由する経路により前記第二基地局から受信する制御情報受信部と、
を備えることを特徴とする移動局。
【請求項９】
下りデータを第一基地局から受信するとともに上りデータを前記第一基地局とは異なる第二基地局へ送信する移動局と、
前記移動局へ前記下りデータを送信し、送信する下りデータのフィードバック情報を、前記第二基地局を経由する経路により前記移動局から受信する第一基地局と、
前記移動局から前記上りデータを受信し、受信する上りデータのフィードバック情報を、前記第一基地局を経由する経路により前記移動局へ送信する第二基地局と、
を含むことを特徴とする通信システム。
【請求項１０】
下りデータを自局から受信するとともに上りデータを他の基地局へ送信する移動局と通信を行う基地局の通信方法において、
前記移動局へ前記下りデータを送信し、
送信される下りデータのフィードバック情報を、前記他の基地局を経由する経路により前記移動局から受信すること、
を特徴とする通信方法。
【発明の詳細な説明】
【技術分野】
【０００１】
本発明は、無線通信を行う基地局、移動局、通信システムおよび通信方法に関する。
【背景技術】
【０００２】
無線通信システムにおいては、移動局が無線チャネルの接続先の基地局を選択するにあたり、最も切れにくいリンクを確立できるように、基地局から送信される信号の送信電力を測定して、受信電力のより高い基地局に接続する制御を行う。したがって、各基地局の信号送信電力およびカバーエリアサイズが同じ場合には、移動局における受信電力が最大となる基地局が下りリンクの接続先として接続され、基地局における受信電力が最大となる基地局が上りリンクの接続先として選択される。
【０００３】
一方、近年の無線通信システムにおいては、無線特性上の不感地帯の解消やサービスエリア拡大が図られている。たとえば、携帯電話サービス向けの広範囲セルを形成する基地局のカバーエリア内やエリア境界にマイクロセルやピコセルと呼ばれるような小さな無線セルを形成する小型基地局を配置する方法が用いられている。しかし、カバーエリアの異なるセルが混在する無線通信システムにおいては、移動局にとっての無線通信に最適なリンクが上りリンクと下りリンクとで異なる状況が発生する可能性がある。
【０００４】
これは、移動局で測定される下りリンクの受信電力の大きさが各基地局からの下り方向の伝搬損失に起因し、一方、基地局で測定される上りリンクの受信電力の大きさが上り方向の伝搬損失に依存するためである。すなわち、移動局における下りリンクの受信電力は、基地局からの送信電力がより大きい大型セル側が大きくなる。その一方で、基地局における上りリンクの受信電力は、基地局と移動局の間の距離がより近く上り方向の伝搬損失が小さくなる小型セル側が大きくなることとなる。
【０００５】
したがって、移動局が基地局からの受信電力の大小関係に従って接続セルを大型セル側に決定しようとした場合は、下り無線リンクの受信品質は無線特性の観点から最適リンクとなるが、上りリンクの受信品質は逆に劣化することとなる。逆に、小型セル側を接続セルとした場合は、下りリンクの受信品質が劣化し、上りリンクの無線特性は良好となる。
【０００６】
このように、上りリンクと下りリンクとで移動局にとって最適な接続先セルが異なる場合は、上下リンクそれぞれに独立な接続を可能とする機能を基地局および移動局に持たせる方式が提案されている（たとえば、下記特許文献１参照。）。このような接続方式は、たとえば「上下非対称接続」や「上下非平衡接続」と呼ばれる。
【０００７】
また、３ＧＰＰ（３ｒｄ  Ｇｅｎｅｒａｔｉｏｎ  Ｐａｒｔｎｅｒｓｈｉｐ  Ｐｒｏｊｅｃｔ）のＨＳＰＡ（Ｈｉｇｈ  Ｓｐｅｅｄ  Ｐａｃｋｅｔ  Ａｃｃｅｓｓ）や、ＬＴＥ（Ｌｏｎｇ  Ｔｅｒｍ  Ｅｖｏｌｕｔｉｏｎ）のＨＡＲＱ（Ｈｙｂｒｉｄ−Ａｕｔｏｍａｔｉｃ  Ｒｅｐｅａｔ  ｒｅＱｕｅｓｔ）などの動作が用いられている。
【０００８】
これらの動作では、データ伝送に対するフィードバック情報として、Ａｃｋ／Ｎａｃｋ情報、ＣＱＩ（Ｃｈａｎｎｅｌ  Ｑｕａｌｉｔｙ  Ｉｎｄｉｃａｔｏｒ）、ＵＬ  Ｇｒａｎｔ（Ｕｐ  Ｌｉｎｋ  Ｇｒａｎｔ）などの制御情報が、データ伝送とは逆のリンク方向に伝送される。
【先行技術文献】
【特許文献】
【０００９】
【特許文献１】特表２００７−５１４３６７号公報
【発明の概要】
【発明が解決しようとする課題】
【００１０】
しかしながら、上述した従来技術では、データ伝送のためのフィードバック情報の伝搬品質が低下するという問題がある。たとえば、移動局が、下り伝搬品質が高い第一基地局から下りデータを受信するとともに、上り伝搬品質が高い第二基地局へ上りデータを伝送するとする。この場合は、下りデータの伝送のための上りのフィードバック情報は、第二基地局より上り伝搬品質が低い第一基地局へ伝送されることになる。また、上りデータの伝送のための下りのフィードバック情報は、第一基地局より下り伝搬品質が低い第二基地局から伝送されることになる。このため、フィードバック情報の伝搬品質が低下する。
【００１１】
これに対して、たとえば、フィードバック情報の誤り訂正符号化方式の符号化率を低くして誤り訂正能力を向上させたり、フィードバック情報の送信電力を大きくしたりすることが考えられる。しかしながら、フィードバック情報の伝送のための通信リソースや消費電力が増加するという問題がある。
【００１２】
開示の基地局、移動局、通信システムおよび通信方法は、上述した問題点を解消するものであり、フィードバック情報の伝搬品質を向上させることを目的とする。
【課題を解決するための手段】
【００１３】
上述した課題を解決し、目的を達成するため、開示の基地局は、下りデータを自局から受信するとともに上りデータを他の基地局へ送信する移動局と通信を行う基地局において、前記移動局へ前記下りデータを送信するデータ送信部と、前記データ送信部によって送信される下りデータのフィードバック情報を、前記他の基地局を経由して前記移動局から受信する制御情報受信部と、を備えることを要件とする。
【発明の効果】
【００１４】
開示の基地局、移動局、通信システムおよび通信方法によれば、フィードバック情報の伝送品質を向上させることができるという効果を奏する。
【図面の簡単な説明】
【００１５】
【図１】実施の形態にかかる通信システムの構成を示す図である。
【図２】通信システムの各局の構成例を示すブロック図である。
【図３】通信システムの各局の具体的な構成例を示すブロック図である。
【図４】通信システムの動作例１の下りデータ通信の処理を示すシーケンス図である。
【図５】通信システムの動作例１の上りデータ通信の処理を示すシーケンス図である。
【図６】通信システムの動作例２の上下のデータ通信の処理を示すシーケンス図である。
【図７】フィードバック経路の選択動作の具体例１を示すフローチャートである。
【図８】フィードバック経路の選択動作の具体例２を示すフローチャートである。
【図９】フィードバック経路の選択動作の具体例３を示すフローチャートである。
【図１０】下りデータのフィードバック経路の候補の一例を示す図である。
【図１１】図１０に示した例におけるフィードバック経路の選択の一例を示す図である。
【図１２】上りデータのフィードバック経路の候補の一例を示す図である。
【図１３】図１２に示した例におけるフィードバック経路の選択の一例を示す図である。
【発明を実施するための形態】
【００１６】
以下に添付図面を参照して、開示の基地局、移動局、通信システムおよび通信方法の実施の形態を詳細に説明する。
【００１７】
（実施の形態）
（通信システムの構成）
図１は、実施の形態にかかる通信システムの構成を示す図である。図１に示すように、実施の形態にかかる通信システム１００は、第一基地局１１０と、第二基地局１２０と、移動局１３０と、を含んでいる。第一基地局１１０は、自局を中心とするセル１１１内の各移動局と無線通信を行う。第二基地局１２０は、自局を中心とするセル１２１内の各移動局と無線通信を行う。第一基地局１１０および第二基地局１２０は、たとえばコアネットワークに接続されており、各移動局とコアネットワークとの間の通信を中継する。
【００１８】
ここでは、移動局１３０が、セル１１１，１２１の重複部分に位置しており、第一基地局１１０および第二基地局１２０のいずれとも無線通信を行うことができる状態であるとする。また、第一基地局１１０は、第二基地局１２０よりも送信電力が大きな基地局であるとする。したがって、移動局１３０においては、下りリンクの伝搬品質（たとえば受信電力や伝搬損失）は第二基地局１２０より第一基地局１１０の方が高く、上りリンクの伝搬品質は第一基地局１１０より第二基地局１２０の方が高い場合があり得る。
【００１９】
移動局１３０は、第一基地局１１０からの下りリンクの伝搬品質と、第二基地局１２０からの下りリンクの伝搬品質と、を測定する。そして、移動局１３０は、第一基地局１１０および第二基地局１２０のうちの測定した伝搬品質が高い基地局を、下りデータを受信する基地局として選択する。各基地局からの下りリンクの伝搬品質の測定は、たとえば、各基地局から送信されるパイロット信号を受信することによって行う。
【００２０】
また、移動局１３０は、第一基地局１１０への上りリンクの伝搬品質と、第二基地局１２０への上りリンクの伝搬品質と、を測定する。そして、移動局１３０は、第一基地局１１０および第二基地局１２０のうちの測定した伝搬品質が高い基地局を、上りデータを送信する基地局として選択する。各基地局への上りリンクの伝搬品質の測定は、たとえば、各基地局へパイロット信号を送信し、送信したパイロット信号に基づいて各基地局において測定された伝搬品質を示す品質情報を各基地局から受信することによって行う。
【００２１】
たとえば、移動局１３０による測定の結果、下りリンクおよび上りリンクの各伝搬品質が第二基地局１２０より第一基地局１１０の方が高かったとする。この場合は、図示しないが、移動局１３０は、下りデータを第一基地局１１０から受信するとともに、上りデータを第一基地局１１０へ送信する。
【００２２】
また、移動局１３０は、下りデータの受信と上りデータの送信をそれぞれ異なる基地局との間で行うことが可能な移動局である。以下、下りデータの受信と上りデータの送信をそれぞれ異なる基地局との間で行うことを上下非対称接続と称する。たとえば、測定の結果、下りリンクの伝搬品質は第二基地局１２０より第一基地局１１０の方が高く、上りリンクの伝搬品質は第一基地局１１０より第二基地局１２０の方が高かったとする。
【００２３】
この場合は、図１に示すように、移動局１３０は、下りデータＤＡＴＡ＿ｄｏｗｎを第一基地局１１０から受信するとともに、上りデータＤＡＴＡ＿ｕｐを第二基地局１２０へ送信する。このとき、移動局１３０は、第一基地局１１０と第二基地局１２０の少なくとも一方に、上下非対称接続を要求する非対称接続要求を送信する。
【００２４】
以下、移動局１３０が、下りデータＤＡＴＡ＿ｄｏｗｎを第一基地局１１０から受信するとともに、上りデータＤＡＴＡ＿ｕｐを第二基地局１２０へ送信する上下非対称接続を行う場合を中心として説明する。
【００２５】
移動局１３０が上記の上下非対称接続を行う場合は、第一基地局１１０は、移動局１３０へ下りデータＤＡＴＡ＿ｄｏｗｎを送信する。また、第一基地局１１０は、下りデータＤＡＴＡ＿ｄｏｗｎのフィードバック情報ＦＢ＿ｄｏｗｎを、第二基地局１２０を経由する経路により移動局１３０から受信する。以下、第二基地局１２０を経由する経路を迂回経路と称する。
【００２６】
下りデータＤＡＴＡ＿ｄｏｗｎのフィードバック情報ＦＢ＿ｄｏｗｎは、下りデータＤＡＴＡ＿ｄｏｗｎを伝送するために用いる制御情報であり、下りデータＤＡＴＡ＿ｄｏｗｎとは上下逆のリンク方向（上り方向）に伝送される制御情報である。たとえば、フィードバック情報ＦＢ＿ｄｏｗｎは、移動局１３０へ送信した下りデータに対する移動局１３０からの送達確認情報（Ａｃｋ／Ｎａｃｋ）や、下りデータの送信条件を調整するためのＣＱＩなどの制御情報である。
【００２７】
また、移動局１３０が上記の上下非対称接続を行う場合は、第二基地局１２０は、移動局１３０から上りデータＤＡＴＡ＿ｕｐを受信する。また、第二基地局１２０は、上りデータＤＡＴＡ＿ｕｐのフィードバック情報ＦＢ＿ｕｐを、第一基地局１１０を経由する迂回経路により移動局１３０へ送信する。
【００２８】
上りデータＤＡＴＡ＿ｕｐのフィードバック情報ＦＢ＿ｕｐは、上りデータＤＡＴＡ＿ｕｐを伝送するために用いる制御情報であり、上りデータＤＡＴＡ＿ｕｐとは上下逆のリンク方向（下り方向）に伝送される制御情報である。フィードバック情報ＦＢ＿ｕｐは、たとえば、移動局１３０から受信した上りデータに対する第二基地局１２０からの送達確認情報（Ａｃｋ／Ｎａｃｋ）や、上りデータの受信条件を調整するためのＵＬ  Ｇｒａｎｔなどの制御情報である。
【００２９】
これにより、下りデータＤＡＴＡ＿ｄｏｗｎについては、下りリンクの伝搬品質が高い第一基地局１１０から移動局１３０への経路で送信することができる。また、下りデータＤＡＴＡ＿ｄｏｗｎのフィードバック情報ＦＢ＿ｄｏｗｎについては、上りリンクの伝搬品質が高い移動局１３０から第二基地局１２０への経路で送信することができる。このため、フィードバック情報ＦＢ＿ｄｏｗｎの伝送品質を向上させることができる。
【００３０】
また、上りデータＤＡＴＡ＿ｕｐについては、上りリンクの伝搬品質が高い移動局１３０から第二基地局１２０への経路で送信することができる。また、上りデータＤＡＴＡ＿ｕｐのフィードバック情報ＦＢ＿ｕｐについては、下りリンクの伝搬品質が高い第一基地局１１０から移動局１３０への経路で送信することができる。このため、フィードバック情報ＦＢ＿ｕｐの伝送品質を向上させることができる。
【００３１】
図２は、通信システムの各局の構成例を示すブロック図である。図２において、図１に示した構成と同様の構成については同一の符号を付して説明を省略する。また、図２において、実線矢印は下りリンクに関する信号の流れを示し、点線矢印は上りリンクに関する信号の流れを示している。また、図２においては、上述した上下非対称接続を行うための各局の構成を示している。
【００３２】
第一基地局１１０は、下りデータ送信部２１１と、制御情報受信部２１２と、制御情報転送部２１３と、を備えている。下りデータ送信部２１１は、制御情報受信部２１２から出力される移動局１３０からのフィードバック情報に基づいて、移動局１３０へ下りデータを送信する。たとえば、下りデータ送信部２１１は、制御情報受信部２１２から出力されるＣＱＩに基づいて下りデータの送信条件を調節する。また、下りデータ送信部２１１は、制御情報受信部２１２から出力される送達確認情報（Ａｃｋ／Ｎａｃｋ）に基づいて下りデータの再送制御を行う。
【００３３】
制御情報受信部２１２は、下りデータ送信部２１１によって送信される下りデータのフィードバック情報を移動局１３０から受信する。このとき、制御情報受信部２１２は、第二基地局１２０を経由する迂回経路によりフィードバック情報を受信する。また、制御情報受信部２１２は、第二基地局１２０を経由する迂回経路と、第二基地局１２０を経由しない直行経路と、のいずれかを選択してフィードバック情報を受信してもよい。制御情報受信部２１２は、受信したフィードバック情報を下りデータ送信部２１１へ出力する。
【００３４】
なお、第二基地局１２０を経由する迂回経路は、移動局１３０から第二基地局１２０へ無線伝送し、第二基地局１２０から第一基地局１１０へ局間伝送する経路である。また、第二基地局１２０を経由する迂回経路は、移動局１３０から第二基地局１２０へ無線中継局を介して無線伝送し、第二基地局１２０から第一基地局１１０へ局間伝送する経路であってもよい。また、第二基地局１２０を経由する迂回経路は複数あってもよい。
【００３５】
また、第二基地局１２０を経由しない直行経路は、移動局１３０から第一基地局１１０へ無線伝送を行う経路である。また、第二基地局１２０を経由しない直行経路には、移動局１３０から第一基地局１１０へ無線中継局を介して無線伝送を行う経路であってもよい。また、第二基地局１２０を経由しない直行経路は複数あってもよい。
【００３６】
制御情報転送部２１３は、第二基地局１２０（他の基地局）から送信されたフィードバック情報を移動局１３０へ転送する。制御情報転送部２１３が転送するフィードバック情報は、移動局１３０から第二基地局１２０へ送信された上りデータの、第二基地局１２０から移動局１３０へのフィードバック情報である。
【００３７】
第二基地局１２０は、上りデータ受信部２２１と、制御情報送信部２２２と、制御情報転送部２２３と、を備えている。上りデータ受信部２２１は、移動局１３０から送信された上りデータを受信する。また、上りデータ受信部２２１は、受信する上りデータのフィードバック情報を制御情報送信部２２２へ出力する。たとえば、上りデータ受信部２２１は、ＵＬ  Ｇｒａｎｔを出力することで移動局１３０における上りデータの送信条件を調節させる。また、上りデータ受信部２２１は、受信した上りデータに関する送達確認情報（Ａｃｋ／Ｎａｃｋ）を出力することで上りデータの再送要求を行う。
【００３８】
制御情報送信部２２２は、上りデータ受信部２２１から出力された移動局１３０へのフィードバック情報を送信する。このとき、制御情報送信部２２２は、第一基地局１１０を経由する迂回経路により移動局１３０へのフィードバック情報を送信する。また、制御情報送信部２２２は、第一基地局１１０を経由する迂回経路と、移動局１３０への直行経路と、のいずれかを選択してフィードバック情報を送信してもよい。
【００３９】
なお、第一基地局１１０を経由する迂回経路は、第二基地局１２０から第一基地局１１０へ局間伝送し、第一基地局１１０から移動局１３０へ無線伝送する経路である。また、第一基地局１１０を経由する迂回経路は、第二基地局１２０から第一基地局１１０へ局間伝送し、第一基地局１１０から移動局１３０へ無線中継局を介して無線伝送する経路であってもよい。また、第一基地局１１０を経由する迂回経路は複数あってもよい。
【００４０】
また、第一基地局１１０を経由しない直行経路は、第二基地局１２０から移動局１３０へ無線伝送を行う経路である。また、第一基地局１１０を経由しない直行経路は、第二基地局１２０から移動局１３０へ無線基地局を介して無線伝送を行う経路であってもよい。また、第一基地局１１０を経由しない直行経路は複数あってもよい。
【００４１】
制御情報転送部２２３は、移動局１３０から送信されたフィードバック情報を第一基地局１１０（他の基地局）へ転送する。制御情報転送部２２３が転送するフィードバック情報は、第一基地局１１０から移動局１３０へ送信された下りデータの、移動局１３０から第一基地局１１０へのフィードバック情報である。
【００４２】
移動局１３０は、下りデータ受信部２３１と、制御情報送信部２３２と、上りデータ送信部２３３と、制御情報受信部２３４と、を備えている。下りデータ受信部２３１は、下りデータを第一基地局１１０から受信する。また、下りデータ受信部２３１は、受信する下りデータのフィードバック情報を制御情報送信部２３２へ出力する。
【００４３】
たとえば、下りデータ受信部２３１は、ＣＱＩを出力することで第一基地局１１０における下りデータ送信部２１１の送信条件を調節させる。また、下りデータ受信部２３１は、受信した下りデータに関する送達確認情報（Ａｃｋ／Ｎａｃｋ）を出力することで下りデータの再送要求を行う。
【００４４】
制御情報送信部２３２は、下りデータ受信部２３１から出力された第一基地局１１０へのフィードバック情報を送信する。このとき、制御情報送信部２３２は、第二基地局１２０を経由する迂回経路により第一基地局１１０へのフィードバック情報を送信する。また、制御情報送信部２３２は、第二基地局１２０を経由する迂回経路と、第一基地局１１０への直行経路と、のいずれかを選択してフィードバック情報を送信してもよい。
【００４５】
上りデータ送信部２３３は、制御情報受信部２３４から出力される第二基地局１２０からのフィードバック情報に基づいて、第二基地局１２０へ上りデータを送信する。たとえば、上りデータ送信部２３３は、制御情報受信部２３４から出力されるＵＬ  Ｇｒａｎｔに基づいて上りデータの送信条件を調節する。また、上りデータ送信部２３３は、制御情報受信部２３４から出力される送達確認情報（Ａｃｋ／Ｎａｃｋ）に基づいて上りデータの再送制御を行う。
【００４６】
制御情報受信部２３４は、上りデータ送信部２３３によって送信される上りデータのフィードバック情報を第二基地局１２０から受信する。このとき、制御情報受信部２３４は、第一基地局１１０を経由する迂回経路によりフィードバック情報を受信する。また、制御情報受信部２３４は、第一基地局１１０を経由する迂回経路と、第二基地局１２０からの直行経路と、のいずれかを選択してフィードバック情報を受信してもよい。制御情報受信部２３４は、受信したフィードバック情報を上りデータ送信部２３３へ出力する。
【００４７】
図３は、通信システムの各局の具体的な構成例を示すブロック図である。図３に示すように、第一基地局１１０は、無線送受信部３１１と、呼制御部３１２と、スケジューラ３１３と、経路選択部３１４と、局間送受信部３１５と、を備えている。図２に示した下りデータ送信部２１１は、たとえば無線送受信部３１１により実現できる。図２に示した制御情報受信部２１２および制御情報転送部２１３は、たとえば無線送受信部３１１および局間送受信部３１５により実現できる。
【００４８】
無線送受信部３１１は、移動局１３０と無線通信を行う。たとえば、無線送受信部３１１は、移動局１３０へ下りデータを送信する。また、無線送受信部３１１は、移動局１３０から送信された接続要求（非対称接続要求を含む）を受信する。非対称接続要求は、移動局１３０が第一基地局１１０との間で下りデータ通信を行うことと、移動局１３０が第二基地局１２０との間で上りデータ通信を行うことと、を示している。無線送受信部３１１は、受信した非対称接続要求を呼制御部３１２へ出力する。
【００４９】
また、無線送受信部３１１は、第一基地局１１０から移動局１３０への下り伝搬品質を測定する測定部である。下り伝搬品質の測定は、たとえば第一基地局１１０から移動局１３０へパイロット信号を送信し、送信したパイロット信号に基づいて移動局１３０において測定された伝搬品質を示す品質情報を移動局１３０から受信することにより行われる。
【００５０】
また、無線送受信部３１１は、移動局１３０から第一基地局１１０への上り伝搬品質を測定する測定部である。伝搬品質の測定は、たとえば移動局１３０から送信されるパイロット信号を受信することにより行われる。無線送受信部３１１は、測定した伝搬品質を含む無線チャネル情報をスケジューラ３１３へ出力する。また、無線送受信部３１１は、経路選択部３１４から出力された経路情報を移動局１３０へ送信する。
【００５１】
呼制御部３１２は、無線送受信部３１１から出力される接続要求に基づいて、各移動局（たとえば移動局１３０）の初期アクセスやハンドオーバなどの呼制御を行う。また、呼制御部３１２は、無線送受信部３１１から出力された接続要求に含まれる非対称接続要求を取得し、取得した非対称接続要求をスケジューラ３１３へ出力する。
【００５２】
スケジューラ３１３は、たとえば無線送受信部３１１から出力される無線チャネル情報に基づいて、第一基地局１１０へ接続する各移動局（たとえば移動局１３０）と第一基地局１１０との間のデータ通信のスケジューリングを行う。スケジューラ３１３が行うスケジューリングには、たとえば、各移動局と第一基地局１１０との間の通信に対する無線リソースの割り当てが含まれる。
【００５３】
また、スケジューラ３１３は経路選択部３１４を備えている。経路選択部３１４は、データのフィードバック情報を伝送するフィードバック経路を選択する。たとえば、経路選択部３１４は、呼制御部３１２からの接続要求に基づいて、無線送受信部３１１が送受信するデータのフィードバック経路を選択する。経路選択部３１４は、フィードバック経路の選択結果を示す経路情報を無線送受信部３１１および局間送受信部３１５へ出力する。
【００５４】
局間送受信部３１５は、第二基地局１２０との間で通信を行う。たとえば、局間送受信部３１５は、第二基地局１２０との間で、ＬＴＥ規格におけるＸ２インタフェースや光ケーブルなどを用いた有線通信を行う。または、局間送受信部３１５は、第二基地局１２０との間で無線通信を行ってもよい。たとえば、局間送受信部３１５は、経路情報やフィードバック情報などを含む各種の制御信号を第二基地局１２０との間で送受信する。
【００５５】
図３に示すように、第二基地局１２０は、無線送受信部３２１と、呼制御部３２２と、スケジューラ３２３と、経路選択部３２４と、局間送受信部３２５と、を備えている。無線送受信部３２１、呼制御部３２２、スケジューラ３２３、経路選択部３２４および局間送受信部３２５の基本的な構成は、それぞれ無線送受信部３１１、呼制御部３１２、スケジューラ３１３、経路選択部３１４および局間送受信部３１５と同様である。
【００５６】
図２に示した上りデータ受信部２２１は、たとえば無線送受信部３２１により実現できる。図２に示した制御情報送信部２２２および制御情報転送部２２３は、たとえば無線送受信部３２１および局間送受信部３２５により実現できる。
【００５７】
無線送受信部３２１は、移動局１３０と無線通信を行う。たとえば、無線送受信部３２１は、移動局１３０からの上りデータを受信する。また、無線送受信部３２１は、第二基地局１２０から移動局１３０への下り伝搬品質を測定する測定部である。下り伝搬品質の測定は、たとえば第二基地局１２０から移動局１３０へパイロット信号を送信し、送信したパイロット信号に基づいて移動局１３０において測定された伝搬品質を示す品質情報を移動局１３０から受信することにより行われる。
【００５８】
また、無線送受信部３２１は、移動局１３０から第二基地局１２０への上り伝搬品質を測定する測定部である。上り伝搬品質の測定は、たとえば移動局１３０から送信されるパイロット信号を受信することにより行われる。
【００５９】
移動局１３０は、無線送受信部３３１および制御部３３２を備えている。図２に示した下りデータ受信部２３１、制御情報送信部２３２、上りデータ送信部２３３および制御情報受信部２３４は、たとえば無線送受信部３３１により実現できる。無線送受信部３３１は、第一基地局１１０および第二基地局１２０との間で無線通信を行う。
【００６０】
また、無線送受信部３３１は、第一基地局１１０からの下りリンクの伝搬品質と、第二基地局１２０からの下りリンクの伝搬品質と、を測定する測定部である。また、無線送受信部３３１は、第一基地局１１０への上りリンクの伝搬品質と、第二基地局１２０への上りリンクの伝搬品質と、を測定する測定部である。
【００６１】
また、無線送受信部３３１は、下りデータと上りデータのそれぞれについて、フィードバック経路の選択結果を示す選択情報を第一基地局１１０または第二基地局１２０から受信する経路情報受信部である。また、無線送受信部３３１は、下りデータについて受信した経路情報が示す経路により、第一基地局１１０から受信する下りデータのフィードバック情報を第一基地局１１０へ送信する。また、無線送受信部３３１は、上りデータについて受信した経路情報が示す経路により、第二基地局１２０へ送信する上りデータのフィードバック情報を第二基地局１２０から受信する。
【００６２】
制御部３３２は、無線送受信部３３１により測定された各伝搬品質に基づいて、上りデータ通信を行う基地局と、下りデータ通信を行う基地局と、を選択する。そして、制御部３３２は、選択した各基地局が同一である場合（上下非対称接続でない場合）は、選択した基地局へ通常の接続要求を、無線送受信部３３１を介して送信する。
【００６３】
また、制御部３３２は、選択した各基地局が同一でない場合は、選択した各基地局へ非対称接続要求を、無線送受信部３３１を介して送信する。非対称接続要求は、上下非対称接続を要求する信号であり、上りデータ通信を行う基地局と、下りデータ通信を行う基地局と、を示す情報を含んでいる。
【００６４】
上述した呼制御部３１２，３２２、スケジューラ３１３，３２３および制御部３３２は、たとえばＤＳＰ（Ｄｉｇｉｔａｌ  Ｓｉｇｎａｌ  Ｐｒｏｃｅｓｓｏｒ）などの演算手段により実現できる。
【００６５】
（通信システムの動作例１）
図４は、通信システムの動作例１の下りデータ通信の処理を示すシーケンス図である。図４においては、第一基地局１１０が下りデータのフィードバック情報を伝送するフィードバック経路を選択し、第二基地局１２０が上りデータのフィードバック情報を伝送するフィードバック経路を選択する動作例１について説明する。また、図４においては、下りデータ通信に関する通信システム１００の処理について説明する。
【００６６】
まず、移動局１３０が、非対称接続要求を第一基地局１１０へ送信する（ステップＳ４０１）。つぎに、第一基地局１１０が、移動局１３０から第一基地局１１０への上りのフィードバック経路の候補を抽出する（ステップＳ４０２）。たとえば、第一基地局１１０は、上りのフィードバック経路として、移動局１３０から第一基地局１１０へ直接伝送する直行経路と、第二基地局１２０を経由する迂回経路と、を抽出する。
【００６７】
つぎに、第一基地局１１０が、移動局１３０から第一基地局１１０（自局）への上りの伝搬品質を測定する（ステップＳ４０３）。ステップＳ４０３においては、あらかじめ測定しておいた伝搬品質を取得してもよい。つぎに、第一基地局１１０が、上りの品質情報を要求する品質情報要求を第二基地局１２０へ送信する（ステップＳ４０４）。
【００６８】
つぎに、第二基地局１２０が、ステップＳ４０４によって送信された品質情報要求に応じて、移動局１３０から第二基地局１２０（自局）への上りの伝搬品質を測定する（ステップＳ４０５）。ステップＳ４０５においては、あらかじめ測定しておいた伝搬品質を取得してもよい。つぎに、第二基地局１２０が、ステップＳ４０５によって測定された上りの伝搬品質を示す品質情報を第一基地局１１０へ送信する（ステップＳ４０６）。
【００６９】
つぎに、第一基地局１１０が、ステップＳ４０３によって測定された伝搬品質と、ステップＳ４０６によって送信された品質情報と、に基づいて、ステップＳ４０２によって抽出されたフィードバック経路の候補のいずれかを選択する（ステップＳ４０７）。たとえば、第一基地局１１０は、移動局１３０から第一基地局１１０への伝搬品質が、移動局１３０から第二基地局１２０への伝搬品質以上である場合は、移動局１３０から第一基地局１１０へ直接伝送する直行経路をフィードバック経路として選択する。
【００７０】
また、第一基地局１１０は、移動局１３０から第一基地局１１０への伝搬品質が、移動局１３０から第二基地局１２０への伝搬品質未満である場合は、第二基地局１２０を経由する迂回経路をフィードバック経路として選択する。ここでは、第一基地局１１０は、第二基地局１２０を経由する迂回経路をフィードバック経路として選択したとする。
【００７１】
つぎに、第一基地局１１０が、ステップＳ４０７によるフィードバック経路の選択結果を示す経路情報を第二基地局１２０へ送信する（ステップＳ４０８）。第二基地局１２０は、ステップＳ４０８によって送信された経路情報に基づいて、移動局１３０から送信されたフィードバック情報を自局から第一基地局１１０へ転送する設定を行う。
【００７２】
つぎに、第一基地局１１０と第二基地局１２０が、第二基地局１２０を経由する迂回経路により下りデータ通信のフィードバック情報を伝送するための、第一基地局１１０と第二基地局１２０との間の局間経路の接続を確立する（ステップＳ４０９）。つぎに、第一基地局１１０が、ステップＳ４０７によるフィードバック経路の選択結果を示す経路情報を移動局１３０へ送信する（ステップＳ４１０）。
【００７３】
移動局１３０は、ステップＳ４１０によって送信された経路情報に基づいて、第一基地局１１０からの下りデータのフィードバック情報を、第二基地局１２０を経由する迂回経路により第一基地局１１０へ送信する設定を行う。つぎに、第一基地局１１０と移動局１３０が、第一基地局１１０から移動局１３０へ下りデータを送信するための、第一基地局１１０と移動局１３０との間の無線経路の接続を確立する（ステップＳ４１１）。
【００７４】
つぎに、第一基地局１１０から移動局１３０への下りデータ通信を開始し（ステップＳ４１２）、一連の動作を終了する。ステップＳ４１２による下りデータ通信においては、下りデータのフィードバック情報が、第二基地局１２０を経由する迂回経路により移動局１３０から第一基地局１１０へ送信される。
【００７５】
図５は、通信システムの動作例１の上りデータ通信の処理を示すシーケンス図である。図５においては、図４と同様に、第一基地局１１０が下りデータのフィードバック情報を伝送するフィードバック経路を選択し、第二基地局１２０が上りデータのフィードバック情報を伝送するフィードバック経路を選択する動作例１について説明する。また、図５においては、上りデータ通信に関する通信システム１００の動作について説明する。
【００７６】
まず、移動局１３０が、非対称接続要求を第二基地局１２０へ送信する（ステップＳ５０１）。つぎに、第二基地局１２０が、第二基地局１２０から移動局１３０への下りのフィードバック経路の候補を抽出する（ステップＳ５０２）。たとえば、第二基地局１２０は、下りのフィードバック経路として、第二基地局１２０から移動局１３０へ直接伝送する直行経路と、第一基地局１１０を経由する迂回経路と、を抽出する。
【００７７】
つぎに、第二基地局１２０が、第二基地局１２０（自局）から移動局１３０への下りの伝搬品質を測定する（ステップＳ５０３）。ステップＳ５０３においては、あらかじめ測定しておいた伝搬品質を取得してもよい。つぎに、第二基地局１２０が、下りの品質情報を要求する品質情報要求を第一基地局１１０へ送信する（ステップＳ５０４）。
【００７８】
つぎに、第一基地局１１０が、ステップＳ５０４によって送信された品質情報要求に応じて、第一基地局１１０（自局）から移動局１３０への下りの伝搬品質を測定する（ステップＳ５０５）。ステップＳ５０５においては、あらかじめ測定しておいた伝搬品質を取得してもよい。つぎに、第一基地局１１０が、ステップＳ５０５によって測定された下りの伝搬品質を示す品質情報を第二基地局１２０へ送信する（ステップＳ５０６）。
【００７９】
つぎに、第二基地局１２０が、ステップＳ５０３によって測定された伝搬品質と、ステップＳ５０６によって送信された品質情報と、に基づいて、ステップＳ５０２によって抽出されたフィードバック経路の候補のいずれかを選択する（ステップＳ５０７）。たとえば、第二基地局１２０は、第二基地局１２０から移動局１３０への伝搬品質が、第一基地局１１０から移動局１３０への伝搬品質以上である場合は、第二基地局１２０から移動局１３０へ直接伝送する直行経路をフィードバック経路として選択する。
【００８０】
また、第二基地局１２０は、第二基地局１２０から移動局１３０への伝搬品質が、第一基地局１１０から移動局１３０への伝搬品質未満である場合は、第一基地局１１０を経由する迂回経路をフィードバック経路として選択する。ここでは、第二基地局１２０は、第一基地局１１０を経由する迂回経路をフィードバック経路として選択したとする。
【００８１】
つぎに、第二基地局１２０が、ステップＳ５０７によるフィードバック経路の選択結果を示す経路情報を第一基地局１１０へ送信する（ステップＳ５０８）。第一基地局１１０は、ステップＳ５０８によって送信された経路情報に基づいて、第二基地局１２０から送信されたフィードバック情報を自局から移動局１３０へ転送する設定を行う。
【００８２】
つぎに、第二基地局１２０と第一基地局１１０が、第一基地局１１０を経由する迂回経路により上りデータ通信のフィードバック情報を伝送するための、第二基地局１２０と第一基地局１１０との間の局間経路の接続を確立する（ステップＳ５０９）。つぎに、第二基地局１２０が、ステップＳ５０７によるフィードバック経路の選択結果を示す経路情報を移動局１３０へ送信する（ステップＳ５１０）。
【００８３】
移動局１３０は、ステップＳ５１０によって送信された経路情報に基づいて、第二基地局１２０からの上りデータのフィードバック情報を、第一基地局１１０を経由する迂回経路により受信する設定を行う。つぎに、第二基地局１２０と移動局１３０が、移動局１３０から第二基地局１２０へ上りデータを送信するための、第二基地局１２０と移動局１３０との間の無線経路の接続を確立する（ステップＳ５１１）。
【００８４】
つぎに、移動局１３０から第二基地局１２０への上りデータ通信を開始し（ステップＳ５１２）、一連の動作を終了する。ステップＳ５１２による上りデータ通信においては、上りデータのフィードバック情報が、第一基地局１１０を経由する迂回経路により第二基地局１２０から移動局１３０へ送信される。
【００８５】
図４および図５においては、第一基地局１１０が下りデータのフィードバック経路を選択し、第二基地局１２０が上りデータのフィードバック経路を選択する場合について説明した。つぎに、図６において、上下のデータの各フィードバック経路の両方の選択を第一基地局１１０が行う場合について説明する。
【００８６】
（通信システムの動作例２）
図６は、通信システムの動作例２の上下のデータ通信の処理を示すシーケンス図である。図６においては、下りデータのフィードバック情報を伝送するフィードバック経路の選択と、上りデータのフィードバック情報を伝送するフィードバック経路の選択と、の両方を第一基地局１１０が行う動作例２について説明する。
【００８７】
まず、移動局１３０が、非対称接続要求を第一基地局１１０へ送信する（ステップＳ６０１）。つぎに、第一基地局１１０が、上りのフィードバック経路と下りのフィードバック経路の各候補を抽出する（ステップＳ６０２）。たとえば、第一基地局１１０は、上りのフィードバック経路として、移動局１３０から第一基地局１１０へ直接伝送する直行経路と、第二基地局１２０を経由する迂回経路と、を抽出する。また、第一基地局１１０は、下りのフィードバック経路として、第二基地局１２０から移動局１３０へ直接伝送する直行経路と、第一基地局１１０を経由する迂回経路と、を抽出する。
【００８８】
つぎに、第一基地局１１０が、移動局１３０から第一基地局１１０への上りの伝搬品質と、第一基地局１１０から移動局１３０への下りの伝搬品質と、の各伝搬品質を測定する（ステップＳ６０３）。ステップＳ６０３においては、あらかじめ測定しておいた伝搬品質を取得してもよい。つぎに、第一基地局１１０が、上りと下りの各品質情報を要求する品質情報要求を第二基地局１２０へ送信する（ステップＳ６０４）。
【００８９】
つぎに、第二基地局１２０が、ステップＳ６０４によって送信された品質情報要求に応じて、移動局１３０から第二基地局１２０への上りの伝搬品質と、第二基地局１２０から移動局１３０への下りの伝搬品質と、の各伝搬品質を測定する（ステップＳ６０５）。ステップＳ６０５においては、あらかじめ測定しておいた伝搬品質を取得してもよい。つぎに、第二基地局１２０が、ステップＳ６０５によって測定された上りと下りの各伝搬品質を示す品質情報を第一基地局１１０へ送信する（ステップＳ６０６）。
【００９０】
つぎに、ステップＳ６０２によって抽出された上りのフィードバック経路の候補のいずれかと、下りのフィードバック経路の候補のいずれかと、を選択する（ステップＳ６０７）。ステップＳ６０７における選択は、ステップＳ６０３によって測定された伝搬品質と、ステップＳ６０６によって送信された品質情報と、に基づいて行われる。
【００９１】
たとえば、第一基地局１１０は、下りデータ通信について、移動局１３０から第一基地局１１０への上り伝搬品質が、移動局１３０から第二基地局１２０への上り伝搬品質以上である場合は、直行経路を上りのフィードバック経路として選択する。また、第一基地局１１０は、下りデータ通信について、移動局１３０から第一基地局１１０への上り伝搬品質が、移動局１３０から第二基地局１２０への上り伝搬品質未満である場合は、迂回経路を上りのフィードバック経路として選択する。ここでは、第一基地局１１０は、迂回経路を上りのフィードバック経路として選択したとする。
【００９２】
また、第一基地局１１０は、上りデータ通信について、第二基地局１２０から移動局１３０への下り伝搬品質が、第一基地局１１０から移動局１３０への下り伝搬品質以上である場合は、直行経路を下りのフィードバック経路として選択する。また、第一基地局１１０は、上りデータ通信について、第二基地局１２０から移動局１３０への下り伝搬品質が、第一基地局１１０から移動局１３０への下り伝搬品質未満である場合は、迂回経路を下りのフィードバック経路として選択する。ここでは、第一基地局１１０は、迂回経路を下りのフィードバック経路として選択したとする。
【００９３】
つぎに、第一基地局１１０が、ステップＳ６０７によるフィードバック経路の選択結果を示す経路情報を第二基地局１２０へ送信する（ステップＳ６０８）。第二基地局１２０は、ステップＳ６０８によって送信された経路情報に基づいて、移動局１３０から送信されたフィードバック情報を自局から第一基地局１１０へ転送する設定を行う。また、第二基地局１２０は、ステップＳ６０８によって送信された経路情報に基づいて、上りデータのフィードバック情報を迂回経路により移動局１３０へ伝送する設定を行う。
【００９４】
つぎに、第一基地局１１０と第二基地局１２０が、第一基地局１１０と第二基地局１２０との間の局間経路の接続を確立する（ステップＳ６０９）。ステップＳ６０９によって確立される接続は、第二基地局１２０を経由する迂回経路により下りデータのフィードバック情報を伝送するための接続と、第一基地局１１０を経由する迂回経路により上りデータのフィードバック情報を伝送するための接続である。
【００９５】
つぎに、第一基地局１１０が、ステップＳ６０７によるフィードバック経路の選択結果を示す経路情報を移動局１３０へ送信する（ステップＳ６１０）。移動局１３０は、ステップＳ６１０によって送信された経路情報に基づいて、第一基地局１１０からの下りデータのフィードバック情報を、第二基地局１２０を経由する迂回経路により第一基地局１１０へ送信する設定を行う。また、移動局１３０は、ステップＳ６１０によって送信された経路情報に基づいて、第二基地局１２０への上りデータのフィードバック情報を、第一基地局１１０を経由する迂回経路により第二基地局１２０から受信する設定を行う。
【００９６】
つぎに、第一基地局１１０と移動局１３０が、第一基地局１１０から移動局１３０へ下りデータを送信するための、第一基地局１１０と移動局１３０との間の無線経路の接続を確立する（ステップＳ６１１）。つぎに、第一基地局１１０から移動局１３０への下りデータ通信と、移動局１３０から第二基地局１２０への上りデータ通信と、を開始し（ステップＳ６１２）、一連の動作を終了する。
【００９７】
ステップＳ６１２による下りデータ通信においては、下りデータのフィードバック情報が、第二基地局１２０を経由する迂回経路により第一基地局１１０へ送信される。また、ステップＳ６１２による上りデータ通信においては、上りデータのフィードバック情報が、第一基地局１１０を経由する迂回経路により移動局１３０へ送信される。
【００９８】
（フィードバック経路の選択動作）
図７は、フィードバック経路の選択動作の具体例１を示すフローチャートである。図７においては、第一基地局１１０の経路選択部３１４において、下りデータのフィードバック経路を選択する場合について説明する。図７に示すように、経路選択部３１４は、まず、第二基地局１２０との間で局間接続が可能か否かを判断する（ステップＳ７０１）。
【００９９】
ステップＳ７０１において、局間接続が可能でない場合（ステップＳ７０１：Ｎｏ）は、ステップＳ７０５へ進む。局間接続が可能である場合（ステップＳ７０１：Ｙｅｓ）は、第二基地局１２０を経由する迂回経路によるフィードバック情報の伝送における伝送遅延が所定の閾値以下か否かを判断する（ステップＳ７０２）。迂回経路による伝送遅延が所定の閾値より大きい場合（ステップＳ７０２：Ｎｏ）は、ステップＳ７０５へ進む。
【０１００】
ステップＳ７０２において、迂回経路による伝送遅延が所定の閾値以下である場合（ステップＳ７０２：Ｙｅｓ）は、第二基地局１２０を経由する迂回経路において割り当て可能な通信リソースがあるか否かを判断する（ステップＳ７０３）。割り当て可能な通信リソースがある場合（ステップＳ７０３：Ｙｅｓ）は、第二基地局１２０を経由する迂回経路をフィードバック経路として選択し（ステップＳ７０４）、一連の動作を終了する。
【０１０１】
ステップＳ７０３において、割り当て可能な通信リソースがない場合（ステップＳ７０３：Ｎｏ）は、第一基地局１１０と移動局１３０との間で直接伝送する直行経路をフィードバック経路として選択し（ステップＳ７０５）、一連の動作を終了する。以上の各ステップにより、経路選択部３１４は、第二基地局１２０を経由する迂回経路の利用の可否を判断し、迂回経路の利用が可能でないと判断した場合は、第一基地局１１０と移動局１３０との間の直行経路をフィードバック経路として選択することができる。
【０１０２】
たとえば、ステップＳ７０１において、経路選択部３１４は、第一基地局１１０と第二基地局１２０との間に物理的な接続がない場合や、物理的な接続があっても局間接続が確立できない場合は、局間接続が可能でないと判断する。また、経路選択部３１４は、たとえば局間通信を管理する上位システムへの問い合わせを行うことによって局間接続が可能か否かに関する情報を取得し、取得した情報に基づいて判断を行う。ステップＳ７０１により、第二基地局１２０との間の局間接続が可能でない場合は、迂回経路の利用が可能でないと判断することができる。
【０１０３】
また、ステップＳ７０２において、経路選択部３１４は、たとえば局間通信を管理する上位システムへの問い合わせを行うことによって伝送遅延に関する情報を取得し、取得した情報に基づいて判断を行う。ステップＳ７０２により、第二基地局１２０を経由する迂回経路によるフィードバック情報の伝送における伝送遅延が所定の閾値より大きい場合は、迂回経路の利用が可能でないと判断することができる。
【０１０４】
また、ステップＳ７０３において、経路選択部３１４は、たとえば第二基地局１２０への問い合わせを行うことによって無線リソースに関する情報を取得し、取得した情報に基づいて判断を行う。第二基地局１２０を経由する迂回経路において割り当て可能な通信リソースは、たとえば、移動局１３０から第二基地局１２０へのフィードバック情報の伝送に割り当て可能な無線リソースである。
【０１０５】
ステップＳ７０３により、第二基地局１２０を経由する迂回経路において割り当て可能な通信リソースがない場合は、迂回経路の利用が可能でないと判断することができる。これにより、別の送信情報に迂回経路が使用されている場合や、移動局１３０とは異なる移動局のフィードバック経路として迂回経路が使用されており通信リソースが不足している場合に、直行経路をフィードバック経路として選択することができる。
【０１０６】
このように、迂回経路の利用が可能でない場合には第一基地局１１０と移動局１３０との間の直行経路をフィードバック経路として選択することで、迂回経路の利用可否に応じて柔軟にフィードバック情報を伝送することができる。ここでは下りデータのフィードバック経路を選択する場合について説明したが、上りデータのフィードバック経路を選択する場合についても同様の選択動作を適用することができる。また、上述したステップＳ７０１〜Ｓ７０３については、互いに順序を入れ替えたり、一部を省いたりしてもよい。
【０１０７】
図８は、フィードバック経路の選択動作の具体例２を示すフローチャートである。図８においては、図７と同様に、第一基地局１１０の経路選択部３１４において、下りデータのフィードバック経路を選択する場合について説明する。図８に示すように、経路選択部３１４は、まず、伝送するフィードバック情報の許容遅延が所定の閾値より大きいか否かを判断する（ステップＳ８０１）。
【０１０８】
ステップＳ８０１において、許容遅延が所定の閾値以下である場合（ステップＳ８０１：Ｎｏ）は、ステップＳ８０４へ進む。許容遅延が所定の閾値より大きい場合（ステップＳ８０１：Ｙｅｓ）は、伝送するフィードバック情報のフィードバック周期が所定の閾値より大きいか否かを判断する（ステップＳ８０２）。フィードバック周期が所定の閾値より大きい場合（ステップＳ８０２：Ｙｅｓ）は、第二基地局１２０を経由する迂回経路をフィードバック経路として選択し（ステップＳ８０３）、一連の動作を終了する。
【０１０９】
ステップＳ８０２において、フィードバック周期が所定の閾値以下である場合（ステップＳ８０２：Ｎｏ）は、第一基地局１１０と移動局１３０との間で直接伝送する直行経路をフィードバック経路として選択し（ステップＳ８０４）、一連の動作を終了する。以上の各ステップにより、経路選択部３１４は、伝送するフィードバック情報の種別に応じてフィードバック経路を選択することができる。
【０１１０】
たとえば、第一基地局１１０のメモリには、フィードバック情報の種別ごとに、フィードバック情報の許容遅延やフィードバック周期の情報が記憶されている。たとえば、音声通信におけるフィードバック情報は、リアルタイム性が要求されるため許容遅延が比較的小さく設定される。また、データ通信におけるフィードバック情報は、ある程度の遅延が許容されるため許容遅延が比較的大きく設定される。
【０１１１】
ステップＳ８０１においては、経路選択部３１４は、たとえば第一基地局１１０のメモリに記憶された情報に基づいて判断を行う。ステップＳ８０１により、伝送するフィードバック情報の許容遅延が所定の閾値以下である場合は、第一基地局１１０と移動局１３０との間の直行経路をフィードバック経路として選択することができる。
【０１１２】
また、ステップＳ８０２において、経路選択部３１４は、たとえば第一基地局１１０のメモリに記憶された情報に基づいて判断を行う。ステップＳ８０２により、伝送するフィードバック情報のフィードバック周期が所定の閾値以下である場合は、第一基地局１１０と移動局１３０との間の直行経路をフィードバック経路として選択することができる。
【０１１３】
このように、伝送するフィードバック情報の種別に応じてフィードバック経路を選択することで、伝送するフィードバック情報に要求される品質や特性に応じて柔軟にフィードバック情報を伝送することができる。ここでは下りデータのフィードバック経路を選択する場合について説明したが、上りデータのフィードバック経路を選択する場合についても同様の選択動作を適用することができる。また、上述したステップＳ８０１，Ｓ８０２については、互いに順序を入れ替えたり、一部を省いたりしてもよい。
【０１１４】
図９は、フィードバック経路の選択動作の具体例３を示すフローチャートである。図９においては、図７と同様に、第一基地局１１０の経路選択部３１４において、下りデータのフィードバック経路を選択する場合について説明する。図９に示すように、経路選択部３１４は、まず、伝送するフィードバック情報のデータサイズが所定の閾値より大きいか否かを判断する（ステップＳ９０１）。
【０１１５】
ステップＳ９０１において、データサイズが所定の閾値以下である場合（ステップＳ９０１：Ｎｏ）は、ステップＳ９０４へ進む。データサイズが所定の閾値より大きい場合（ステップＳ９０１：Ｙｅｓ）は、伝送するフィードバック情報の符号化方式が特定の方式であるか否かを判断する（ステップＳ９０２）。符号化方式が特定の方式である場合（ステップＳ９０２：Ｙｅｓ）は、第二基地局１２０を経由する迂回経路をフィードバック経路として選択し（ステップＳ９０３）、一連の動作を終了する。
【０１１６】
ステップＳ９０２において、符号化方式が特定の方式でない場合（ステップＳ９０２：Ｎｏ）は、第一基地局１１０と移動局１３０との間で直接伝送する直行経路をフィードバック経路として選択し（ステップＳ９０４）、一連の動作を終了する。以上の各ステップにより、経路選択部３１４は、フィードバック情報のデータサイズおよびフィードバック情報の符号化方式に応じてフィードバック経路を選択することができる。
【０１１７】
たとえば、第一基地局１１０のメモリには、フィードバック情報の種別ごとに、フィードバック情報のデータサイズの情報が記憶されている。ステップＳ９０１において、経路選択部３１４は、たとえば第一基地局１１０のメモリに記憶された情報に基づいて判断を行う。または、伝送するフィードバック情報を第一基地局１１０において生成する場合には、経路選択部３１４は、生成されたフィードバック情報のデータサイズを取得し、取得したデータサイズに基づいて判断を行ってもよい。
【０１１８】
ステップＳ９０１により、経路選択部３１４は、伝送するフィードバック情報のデータサイズが所定の閾値以下である場合は、第一基地局１１０と移動局１３０との間の直行経路をフィードバック経路として選択することができる。これにより、フィードバック情報のデータサイズが小さく、伝搬品質が低くてもフィードバック情報を伝送可能な場合は、直行経路を優先的に選択して短時間でフィードバック情報を伝送することができる。
【０１１９】
また、たとえば、第一基地局１１０のメモリには、フィードバック情報の種別ごとに、フィードバック情報の符号化方式の情報が記憶されている。また、第一基地局１１０のメモリには、各符号化方式のうちの特定の方式の情報が記憶されている。特定の方式は、伝搬品質が低い場合にフィードバック情報の伝送が困難になる符号化方式である。各符号化方式が特定の方式であるか否かは、符号化方式の誤り訂正能力や、通信経路の品質情報に応じた符号化率可変にともなう無線リソース消費量などによってあらかじめ定められる。
【０１２０】
たとえば、誤り訂正能力が高い符号化方式や、符号化率可変に伴う無線リソース消費量の変動が少ない符号化方式は、伝搬品質が低くてもフィードバック情報を伝送可能であるため、特定の方式としない。また、誤り訂正能力が低い符号化方式や、符号化率可変に伴う無線リソース消費量の増加が無視できないレベルの符号化方式は、伝搬品質が低い場合にフィードバック情報の伝送が困難になるため、特定の方式とする。これにより、伝搬品質が低くてもフィードバック情報を伝送可能な場合は、直行経路を優先的に選択して短時間でフィードバック情報を伝送することができる。
【０１２１】
このように、フィードバック情報のデータサイズおよびフィードバック情報の符号化方式に応じてフィードバック経路を選択する。これにより、伝搬品質が低くてもフィードバック情報を伝送可能な場合は、直行経路を優先的に選択して短時間でフィードバック情報を伝送することができる。ここでは下りデータのフィードバック経路を選択する場合について説明したが、上りデータのフィードバック経路を選択する場合についても同様の選択動作を適用することができる。また、上述したステップＳ９０１，Ｓ９０２については、互いに順序を入れ替えたり、一部を省いたりしてもよい。
【０１２２】
図７〜図９においては、第一基地局１１０の経路選択部３１４においてフィードバック経路を選択する場合の動作について説明したが、第二基地局１２０の経路選択部３２４においてフィードバック経路を選択する場合の動作についても同様である。
【０１２３】
（フィードバック経路の選択の具体例）
図１０は、下りデータのフィードバック経路の候補の一例を示す図である。図１０において、図１に示した部分と同様の部分については同一の符号を付して説明を省略する。ここでは、図１０に示すように、第一基地局１１０から移動局１３０へ送信する下りデータＤＡＴＡ＿ｄｏｗｎのフィードバック経路の選択について説明する。
【０１２４】
たとえば第一基地局１１０は、直行経路ＦＢ＿ｃｈ１と迂回経路ＦＢ＿ｃｈ２を候補として、下りデータＤＡＴＡ＿ｄｏｗｎのフィードバック経路を選択する。直行経路ＦＢ＿ｃｈ１は、移動局１３０から第一基地局１１０へ直接無線伝送する経路である。迂回経路ＦＢ＿ｃｈ２は、移動局１３０から第二基地局１２０へ無線伝送し、第二基地局１２０から第一基地局１１０へ局間伝送する経路である。
【０１２５】
図１１は、図１０に示した例におけるフィードバック経路の選択の一例を示す図である。図１１のテーブル１１００に示すように、下りデータＤＡＴＡ＿ｄｏｗｎのフィードバック情報には、Ａｃｋ／Ｎａｃｋ情報およびＣＱＩ情報が含まれているとする。この場合は、第一基地局１１０（第二基地局１２０でもよい）は、たとえばＡｃｋ／Ｎａｃｋ情報およびＣＱＩ情報のそれぞれのフィードバック経路を選択する。
【０１２６】
テーブル１１００の列１１１０に示すように、送信方向が「上り」のＡｃｋ／Ｎａｃｋ情報の許容遅延が小（数ｍｓ〜）であり、送信方向が「上り」のＣＱＩ情報の許容遅延が大（数十ｍｓ〜）であったとする。また、テーブル１１００の列１１２０に示すように、送信方向が「上り」のＡｃｋ／Ｎａｃｋ情報のデータサイズが小（１ｂｉｔ〜）であり、送信方向が「上り」のＣＱＩ情報のデータサイズが中（数ｂｉｔ〜）であったとする。
【０１２７】
ここで、図８に示したフィードバック経路の選択動作を用いた場合について説明する。図８のステップＳ８０１において、Ａｃｋ／Ｎａｃｋ情報の許容遅延量（小）が閾値以下であり、ＣＱＩ情報の許容遅延量（大）が閾値より大きかったとする。この場合は、Ａｃｋ／Ｎａｃｋ情報のフィードバックの選択結果が直行経路ＦＢ＿ｃｈ１となり、ＣＱＩ情報のフィードバックの選択結果が迂回経路ＦＢ＿ｃｈ２となる。また、さらに図８のステップＳ８０２，Ｓ８０３に基づく選択動作を行ってもよい。
【０１２８】
つぎに、図９に示したフィードバック経路の選択動作を用いた場合について説明する。図９のステップＳ９０１において、Ａｃｋ／Ｎａｃｋ情報のデータサイズ（小）が閾値以下であり、ＣＱＩ情報のデータサイズ（大）が閾値より大きかったとする。この場合は、Ａｃｋ／Ｎａｃｋ情報のフィードバックの選択結果が直行経路ＦＢ＿ｃｈ１となり、ＣＱＩ情報のフィードバックの選択結果が迂回経路ＦＢ＿ｃｈ２となる。また、さらに図９のステップＳ９０２に基づく選択動作を行ってもよい。
【０１２９】
図１２は、上りデータのフィードバック経路の候補の一例を示す図である。図１２において、図１に示した部分と同様の部分については同一の符号を付して説明を省略する。ここでは、図１２に示すように、移動局１３０から第二基地局１２０へ送信する上りデータＤＡＴＡ＿ｕｐのフィードバック経路の選択について説明する。
【０１３０】
たとえば第一基地局１１０は、直行経路ＦＢ＿ｃｈ１と迂回経路ＦＢ＿ｃｈ２を候補として、上りデータＤＡＴＡ＿ｕｐのフィードバック経路を選択する。直行経路ＦＢ＿ｃｈ１は、第二基地局１２０から移動局１３０へ直接無線伝送する経路である。迂回経路ＦＢ＿ｃｈ２は、第二基地局１２０から第一基地局１１０へ局間伝送し、第一基地局１１０から移動局１３０へ無線伝送する経路である。
【０１３１】
図１３は、図１２に示した例におけるフィードバック経路の選択の一例を示す図である。図１３のテーブル１３００に示すように、上りデータＤＡＴＡ＿ｕｐのフィードバック情報には、Ａｃｋ／Ｎａｃｋ情報およびＵＬ  Ｇｒａｎｔ情報が含まれているとする。この場合は、第一基地局１１０（第二基地局１２０でもよい）は、たとえばＡｃｋ／Ｎａｃｋ情報およびＵＬ  Ｇｒａｎｔ情報のそれぞれのフィードバック経路を選択する。
【０１３２】
テーブル１３００の列１３１０に示すように、送信方向が「下り」のＡｃｋ／Ｎａｃｋ情報の許容遅延が小（数ｍｓ〜）であり、送信方向が「下り」のＵＬ  Ｇｒａｎｔ情報の許容遅延が大（数十ｍｓ〜）であったとする。また、テーブル１３００の列１３２０に示すように、送信方向が「下り」のＡｃｋ／Ｎａｃｋ情報のデータサイズが小（１ｂｉｔ〜）であり、送信方向が「下り」のＵＬ  Ｇｒａｎｔ情報のデータサイズが中（数ｂｉｔ〜）であったとする。
【０１３３】
ここで、図８に示したフィードバック経路の選択動作を用いた場合について説明する。図８のステップＳ８０１において、Ａｃｋ／Ｎａｃｋ情報の許容遅延量（小）が閾値以下であり、ＵＬ  Ｇｒａｎｔ情報の許容遅延量（大）が閾値より大きかったとする。この場合は、Ａｃｋ／Ｎａｃｋ情報のフィードバックの選択結果が直行経路ＦＢ＿ｃｈ１となり、ＵＬ  Ｇｒａｎｔ情報のフィードバックの選択結果が迂回経路ＦＢ＿ｃｈ２となる。また、さらに図８のステップＳ８０２，Ｓ８０３に基づく選択動作を行ってもよい。
【０１３４】
つぎに、図９に示したフィードバック経路の選択動作を用いた場合について説明する。図９のステップＳ９０１において、Ａｃｋ／Ｎａｃｋ情報のデータサイズ（小）が閾値以下であり、ＵＬ  Ｇｒａｎｔ情報のデータサイズ（大）が閾値より大きかったとする。この場合は、Ａｃｋ／Ｎａｃｋ情報のフィードバックの選択結果が直行経路ＦＢ＿ｃｈ１となり、ＵＬ  Ｇｒａｎｔ情報のフィードバックの選択結果が迂回経路ＦＢ＿ｃｈ２となる。また、さらに図９のステップＳ９０２に基づく選択動作を行ってもよい。
【０１３５】
このように、実施の形態にかかる通信システム１００は、上下非対称接続において、第二基地局１２０より下り伝搬品質が高い第一基地局１１０により下りデータを伝送する。また、通信システム１００は、第一基地局１１０より上り伝搬品質が高い第二基地局１２０を経由して下りデータのフィードバック情報を伝送する。これにより、下りデータを高品質で伝送するとともに、フィードバック情報の伝搬品質を向上させることができる。
【０１３６】
また、実施の形態にかかる通信システム１００は、上下非対称接続において、第一基地局１１０より上り伝搬品質が高い第二基地局１２０により上りデータを伝送する。また、通信システム１００は、第二基地局１２０より下り伝搬品質が高い第一基地局１１０を経由して上りデータのフィードバック情報を伝送する。これにより、上りデータを高品質で伝送するとともに、フィードバック情報の伝搬品質を向上させることができる。
【０１３７】
また、たとえばフィードバック情報の誤り訂正符号化方式の符号化率を低くして誤り訂正能力を向上させたり、フィードバック情報の送信電力を大きくしたりしなくてもフィードバック情報の伝搬品質を向上させることができる。このため、フィードバック情報の伝送のための通信リソースや消費電力を増加させなくてもフィードバック情報の伝搬品質を向上させることができる。
【０１３８】
以上説明したように、基地局、移動局、通信システムおよび通信方法によれば、上下リンクの最適基地局が異なる場合の上下非対称接続で、一方の基地局と移動局との間で伝送するデータのフィードバック情報を、他方の基地局を経由して伝送することができる。このため、フィードバック情報の伝送品質を向上させることができる。上述した実施の形態に関し、さらに以下の付記を開示する。
【０１３９】
（付記１）下りデータを自局から受信するとともに上りデータを他の基地局へ送信する移動局と通信を行う基地局において、
前記移動局へ前記下りデータを送信するデータ送信部と、
前記データ送信部によって送信される下りデータのフィードバック情報を、前記他の基地局を経由して前記移動局から受信する制御情報受信部と、
を備えることを特徴とする基地局。
【０１４０】
（付記２）前記他の基地局から送信された前記上りデータのフィードバック情報を前記移動局へ転送する転送部を備えることを特徴とする付記１に記載の基地局。
【０１４１】
（付記３）前記他の基地局を経由しない経路および前記他の基地局を経由する経路を含む各フィードバック経路のいずれかを選択する経路選択部を備え、
前記制御情報受信部は、前記経路選択部によって選択されたフィードバック経路により前記フィードバック情報を受信することを特徴とする付記１または２に記載の基地局。
【０１４２】
（付記４）前記移動局から自局への上り伝搬品質を測定する測定部と、
前記移動局から前記他の基地局への上り伝搬品質を示す品質情報を前記他の基地局から受信する受信部と、を備え、
前記経路選択部は、前記測定部によって測定された伝搬品質と、前記受信部によって受信された品質情報が示す伝搬品質と、に基づいてフィードバック経路を選択することを特徴とする付記３に記載の基地局。
【０１４３】
（付記５）前記経路選択部は、前記他の基地局を経由する経路の利用の可否を判断し、前記他の基地局を経由する経路の利用が可能でないと判断した場合は前記他の基地局を経由しない経路を前記フィードバック経路として選択することを特徴とする付記３または４に記載の基地局。
【０１４４】
（付記６）前記経路選択部は、前記他の基地局との間で局間接続が可能でない場合は、前記他の基地局を経由する経路の利用が可能でないと判断することを特徴とする付記５に記載の基地局。
【０１４５】
（付記７）前記経路選択部は、前記他の基地局を経由する経路による前記フィードバック情報の伝送における伝送遅延が所定の閾値より大きい場合は、前記他の基地局を経由する経路の利用が可能でないと判断することを特徴とする付記５または６に記載の基地局。
【０１４６】
（付記８）前記経路選択部は、前記他の基地局を経由する経路において割り当て可能な通信リソースがない場合は、前記他の基地局を経由する経路の利用が可能でないと判断することを特徴とする付記５〜７のいずれか一つに記載の基地局。
【０１４７】
（付記９）前記経路選択部は、前記フィードバック情報の種別に応じて前記フィードバック経路を選択することを特徴とする付記４〜８のいずれか一つに記載の基地局。
【０１４８】
（付記１０）前記経路選択部は、前記フィードバック情報の許容遅延が所定の閾値以下である場合は、前記他の基地局を経由しない経路を前記フィードバック経路として選択することを特徴とする付記４〜９のいずれか一つに記載の基地局。
【０１４９】
（付記１１）前記経路選択部は、前記フィードバック情報のフィードバック周期が所定の閾値以下である場合は、前記他の基地局を経由しない経路を前記フィードバック経路として選択することを特徴とする付記４〜１０のいずれか一つに記載の基地局。
【０１５０】
（付記１２）前記経路選択部は、前記フィードバック情報のデータサイズが所定の閾値以下である場合は、前記他の基地局を経由しない経路を前記フィードバック経路として選択することを特徴とする付記４〜１１のいずれか一つに記載の基地局。
【０１５１】
（付記１３）前記経路選択部は、前記フィードバック情報の符号化方式に応じて前記フィードバック経路を選択することを特徴とする付記４〜１２のいずれか一つに記載の基地局。
【０１５２】
（付記１４）上りデータを自局へ送信するとともに下りデータを他の基地局から受信する移動局と通信を行う基地局において、
前記移動局から前記上りデータを受信するデータ受信部と、
前記データ受信部によって受信される上りデータのフィードバック情報を、前記他の基地局を経由する経路により前記移動局へ送信する制御情報送信部と、
を備えることを特徴とする基地局。
【０１５３】
（付記１５）下りデータを第一基地局から受信するとともに上りデータを前記第一基地局とは異なる第二基地局へ送信する移動局において、
前記下りデータを前記第一基地局から受信するデータ受信部と、
前記上りデータを前記第二基地局へ送信するデータ送信部と、
前記データ受信部によって受信される下りデータのフィードバック情報を、前記第二基地局を経由する経路により前記第一基地局へ送信する制御情報送信部と、
前記データ送信部によって送信される上りデータのフィードバック情報を、前記第一基地局を経由する経路により前記第二基地局から受信する制御情報受信部と、
を備えることを特徴とする移動局。
【０１５４】
（付記１６）前記第一基地局を経由する経路または前記第二基地局を経由する経路を含む各フィードバック経路の選択結果を示す選択情報を前記第一基地局または前記第二基地局から受信する経路情報受信部を備え、
前記データ送信部は、前記経路情報受信部によって受信された経路情報が示す経路により前記フィードバック情報を送信し、
前記データ受信部は、前記経路情報受信部によって受信された経路情報が示す経路により前記フィードバック情報を受信することを特徴とする付記１５に記載の移動局。
【０１５５】
（付記１７）下りデータを第一基地局から受信するとともに上りデータを前記第一基地局とは異なる第二基地局へ送信する移動局と、
前記移動局へ前記下りデータを送信し、送信する下りデータのフィードバック情報を、前記第二基地局を経由する経路により前記移動局から受信する第一基地局と、
前記移動局から前記上りデータを受信し、受信する上りデータのフィードバック情報を、前記第一基地局を経由する経路により前記移動局へ送信する第二基地局と、
を含むことを特徴とする通信システム。
【０１５６】
（付記１８）下りデータを自局から受信するとともに上りデータを他の基地局へ送信する移動局と通信を行う基地局の通信方法において、
前記移動局へ前記下りデータを送信し、
送信される下りデータのフィードバック情報を、前記他の基地局を経由する経路により前記移動局から受信すること、
を特徴とする通信方法。
【０１５７】
（付記１９）上りデータを自局へ送信するとともに下りデータを他の基地局から受信する移動局と通信を行う基地局の通信方法において、
前記移動局から前記上りデータを受信し、
受信される上りデータのフィードバック情報を、前記他の基地局を経由する経路により前記移動局へ送信すること、
を含むことを特徴とする通信方法。
【０１５８】
（付記２０）下りデータを第一基地局から受信するとともに上りデータを前記第一基地局とは異なる第二基地局へ送信する移動局の通信方法において、
前記下りデータを前記第一基地局から受信し、
前記上りデータを前記第二基地局へ送信し、
受信される下りデータのフィードバック情報を、前記第二基地局を経由する経路により前記第一基地局へ送信し、
送信される上りデータのフィードバック情報を、前記第一基地局を経由する経路により前記第二基地局から受信すること、
を含むことを特徴とする通信方法。
【符号の説明】
【０１５９】
ＤＡＴＡ＿ｕｐ  上りデータ
ＤＡＴＡ＿ｄｏｗｎ  下りデータ
ＦＢ＿ｕｐ，ＦＢ＿ｄｏｗｎ  フィードバック情報
１００  通信システム
１１０  第一基地局
１１１，１２１  セル
１２０  第二基地局
１３０  移動局
【図１】
2011055194.tif 000003
【図２】
2011055194.tif 000004
【図３】
2011055194.tif 000005
【図４】
2011055194.tif 000006
【図５】
2011055194.tif 000007
【図６】
2011055194.tif 000008
【図７】
2011055194.tif 000009
【図８】
2011055194.tif 000010
【図９】
2011055194.tif 000011
【図１０】
2011055194.tif 000012
【図１１】
2011055194.tif 000013
【図１２】
2011055194.tif 000014
【図１３】
2011055194.tif 000015